(57)【要約】  一つ又は複数のウエハを処理するための装置及び方法が記載される。基板は、基板表面上の膜の自己整合成長を提供するために、小さな増分で膜を堆積し、アニールし、処理し、任意でエッチングするために、複数のプロセスステーションに曝露される。【選択図】図１Ａ
2021523982.tif 000002
【特許請求の範囲】
【請求項１】
各プロセスステーションが隣接するプロセスステーションの処理領域から分離された処理領域を提供する、複数のプロセスステーション、
処理のためにウエハを支持する支持面を有する基板支持体であって、複数のプロセスステーションのうちの少なくとも二つの間でウエハを移動させるように構成されている基板支持体、並びに
基板支持体及び複数のプロセスステーションに接続されたコントローラであって、基板支持体を作動させて、ウエハをステーション間で移動させ且つプロセスステーションの各々で発生するプロセスを制御するように構成されているコントローラ
を備えた処理ツールであって、
複数のプロセスステーションが、堆積ステーション、アニールステーション、及び処理ステーションを含む、処理ツール。
【請求項２】
堆積ステーションが、原子層堆積チャンバ、化学気相堆積チャンバ、又はプラズマ強化化学気相堆積チャンバのうちの一つ又は複数を含む、請求項１に記載の処理ツール。
【請求項３】
アニールステーションが、レーザアニール、熱アニール、又はフラッシュアニールチャンバのうちの一つ又は複数を含む、請求項１に記載の処理ツール。
【請求項４】
処理ステーションがプラズマ処理チャンバを含む、請求項１に記載の処理ツール。
【請求項５】
複数のプロセスステーションがエッチングステーションをさらに含む、請求項１から４のいずれか一項に記載の処理ツール。
【請求項６】
エッチングステーションが、化学エッチング、反応性イオンエッチング、又は等方性エッチングチャンバのうちの一つ又は複数を含む、請求項５に記載の処理ツール。
【請求項７】
コントローラは、一又は複数の構成を有し、前記構成は、ウエハを堆積チャンバからアニールチャンバへ、処理チャンバへと順次移動させるための第１の構成、堆積チャンバ内で基板上に層を堆積させるための第２の構成、アニールチャンバ内で基板上の層をアニールするための第３の構成、及び処理チャンバ内でアニールされた層をプラズマ処理するための第４の構成のうちの一つ又は複数を含む、請求項１から４のいずれか一項に記載の処理ツール。
【請求項８】
複数のプロセスステーションがエッチングステーションをさらに含み、第１の構成が、ウエハを堆積チャンバからアニールチャンバへ、処理チャンバへ、エッチングチャンバへと順次移動させ、コントローラが、エッチングチャンバ内でウエハにエッチングプロセスを実施するための第５の構成を有する、請求項７に記載の処理ツール。
【請求項９】
コントローラが、堆積チャンバ内で膜を約１５Å以下の厚さに堆積させ、基板をアニールチャンバに移動させて膜をアニールし、基板を処理チャンバに移動させて膜をプラズマに曝露し、基板をエッチングチャンバに移動させて基板のいくつかの部分から膜を選択的にエッチングするように構成されている、請求項８に記載の処理ツール。
【請求項１０】
コントローラが、堆積、アニール、処理、及びエッチングプロセスを繰り返して、所定の厚さの膜を構築するように構成されている、請求項９に記載の処理ツール。
【請求項１１】
所定の厚さが約１００Å以上である、請求項１０に記載の処理ツール。
【請求項１２】
基板支持体が、
回転軸を規定する回転可能な中心基部、
中心基部から延び、各々が中心基部と接触する内側端部と外側端部とを有する少なくとも二つの支持アーム、及び
支持アームの各々の外側端部に位置決めされた、支持面を有するヒータ
を含む、請求項１から４のいずれか一項に記載の処理ツール。
【請求項１３】
支持アームが、回転軸に対して直交して延びる、請求項１２に記載の支持アセンブリ。
【請求項１４】
回転軸の周りで支持アセンブリを回転させるように構成されている、中心基部に接続された少なくとも一つのモータをさらに備える、請求項１２に記載の支持アセンブリ。
【請求項１５】
少なくとも一つのモータが、回転軸に沿った方向に中心基部を移動させるように構成されている、請求項１４に記載の支持アセンブリ。
【発明の詳細な説明】
【技術分野】
【０００１】
本開示は、概して薄膜を堆積させるための装置に関する。特に、本開示は、自己整合膜を基板上に堆積させるための複数の別個の処理ステーションを有する装置に関する。
【背景技術】
【０００２】
現行の原子層堆積（ＡＬＤ）プロセスは、多くの潜在的な問題及び困難を有する。多くのＡＬＤ化学物質（例えば、前駆体及び反応体）は「非相溶性」であり、これは、化学物質が一緒に混合され得ないことを意味する。非相溶性の化学物質が混合する場合、ＡＬＤプロセスの代わりに化学気相堆積（ＣＶＤ）プロセスが発生し得る。ＣＶＤプロセスは、一般に、ＡＬＤプロセスよりも小さい厚さ制御を有する、及び／又は、結果として得られるデバイスに欠陥を引き起こし得る気相粒子の生成をもたらす可能性がある。単一の反応性ガスが一度に処理チャンバに流入する従来の時間領域ＡＬＤプロセスの場合、長いパージ／ポンプアウト時間が生じ、その結果化学物質が気相中で混合されない。空間ＡＬＤチャンバは、時間領域ＡＬＤチャンバがポンピング／パージすることができるよりも速く、一つ又は複数のウエハを一つの環境から第２の環境に移動させることができ、その結果、より高いスループットが得られる。
【０００３】
電子デバイスのスケーリング（例えば、＜１０ｎｍ）では、自己整合フィーチャを形成することは極めて困難である。不整合があると短絡が発生し、デバイスの性能が損なわれる。加えて、ケイ素化合物などの自己整合プロセスは、大きな拡散のために横方向の成長をもたらす。横方向の成長も、短絡をもたらす可能性がある。現行の自己整合スキームは、堆積、アニール、除去といった複数のプロセスを使用して、自己整合フィーチャを生成する。
【０００４】
したがって、膜の不整合がほとんど又はまったくない自己整合膜を形成する改良された堆積装置及び方法が、当技術分野において必要とされている。
【発明の概要】
【０００５】
本開示の一つ又は複数の実施態様は、複数のプロセスステーションを備える処理ツールを対象とする。各プロセスステーションは、隣接するプロセスステーションの処理領域から分離された処理領域を提供する。基板支持体は、処理のためにウエハを支持する支持面を有する。基板支持体は、複数のプロセスステーションのうちの少なくとも二つの間でウエハを移動させるように構成される。コントローラは、基板支持体及び複数のプロセスステーションに接続される。コントローラは、基板支持体を作動させてウエハをステーション間で移動させ、プロセスステーションの各々で発生するプロセスを制御するように構成される。複数のプロセスステーションは、堆積ステーション、アニールステーション、及び処理ステーションを含む。
【０００６】
本開示のさらなる実施態様は、膜を堆積させるための方法を対象とする。基板は、基板の表面上に膜を堆積させるために、堆積ステーションに移動される。基板は、基板上の膜をアニールするために、アニールステーションに移動される。基板は、アニールされた膜をプラズマで処理するために、処理ステーションに移動される。堆積ステーション、アニールステーション、及び処理ステーションの各々は、基板を移動させ、膜を堆積させ、膜をアニールし、アニールされた膜を処理するように構成されたコントローラを備える統合型処理ツールの一部である。
【０００７】
本開示のさらなる実施態様は、膜を堆積させるための方法を対象とする。第１の基板表面及び第２の基板表面を有する基板が、堆積ステーション内に提供される。第１の基板表面は、第２の基板表面とは異なる材料を含む。堆積ステーション内の第１の基板表面及び第２の基板表面上に膜が堆積される。膜は、約２０Å以下の厚さを有する。基板は、膜をアニールしてアニールされた膜を形成するために、堆積ステーションからアニールステーションへ移動される。基板は、アニールされた膜をプラズマで処理して処理済みのアニールされた膜を形成するために、処理ステーションに移動される。プラズマは、第１の基板表面又は第２の基板表面のうちの少なくとも一方の上の膜の少なくとも一つの特性を変化させる。基板は、第１の基板表面に対して第２の基板表面から膜を選択的にエッチングするために、エッチングステーションに移動される。約１０００Å以上の厚さを有する膜を第１の基板表面上に選択的に堆積させるために、膜を堆積させ、膜をアニールし、膜を処理し、膜を選択的にエッチングすることが繰り返される。
【図面の簡単な説明】
【０００８】
本開示の上述の特徴を詳細に理解できるように、上記で簡単に要約されている本開示のより詳細な説明が、実施態様を参照することによって得られ、それらの実施態様の一部は添付図面に示されている。しかしながら、添付図面は本開示の典型的な実施態様のみを示すものであり、したがって、本開示の範囲を限定するものと見なすべきではなく、本開示は他の等しく有効な実施態様も許容し得ることに留意されたい。
【０００９】
【図１Ａ−Ｈ】Ａは、本開示の一つ又は複数の実施態様による処理ツールの概略図である。ＢからＨは、本開示の一つ又は複数の実施態様による堆積プロセスを示す。
【図１Ｊ】本開示の一つ又は複数の実施態様による、図１ＢからＨに示される堆積プロセスのフロー図である。
【図２】本開示の一つ又は複数の実施態様による支持アセンブリの底部斜視図である。
【図３】本開示の一つ又は複数の実施態様による支持アセンブリの上部斜視図である。
【図４】本開示の一つ又は複数の実施態様による支持アセンブリの上面斜視図である。
【図５】線ＩＶ−ＩＶに沿った図４の支持アセンブリの概略断面図である。
【図６】本開示の一つ又は複数の実施態様による処理チャンバの断面斜視図である。
【図７】本開示の一つ又は複数の実施態様による処理チャンバの断面図である。
【図８】本開示の一つ又は複数の実施態様による処理プラットフォームの概略図である。
【図９】ＡからＩは、本開示の一つ又は複数の実施態様による処理チャンバ内のプロセスステーションの概略図である。
【図１０】Ａ及びＢは、本開示の一つ又は複数の実施態様によるプロセスの概略図である。
【発明を実施するための形態】
【００１０】
本開示のいくつかの例示的な実施態様を記載する前に、本開示が以下の記載において規定される構造又はプロセス工程の詳細に限定されないことを理解されたい。本開示は、他の実施態様が可能であり、様々な方法で実施又は実行可能である。
【００１１】
ここで使用される「基板」は、製造プロセス中にその上で膜処理が実施される任意の基板又は基板の上に形成される材料表面を指す。例えば、その上で処理を実施することのできる基板表面は、用途に応じて、シリコン、酸化ケイ素、ストレインドシリコン、シリコンオンインシュレータ（ＳＯＩ）、炭素がドープされた酸化ケイ素、アモルファスシリコン、ドープされたシリコン、ゲルマニウム、ヒ化ガリウム、ガラス、サファイアなどの材料、並びに、金属、金属窒化物、金属合金、及びその他の導電材料などの他の任意の材料を含む。基板には、限定されないが、半導体ウエハが含まれる。基板は、基板表面を研磨し、エッチングし、還元し、酸化し、ヒドロキシル化し、アニールし、及び／又はベークするために、前処理プロセスに曝露されてもよい。基板自体の表面に直接的に膜処理を行うことに加えて、本発明では、開示される膜処理工程のいずれもが、より詳細に後述するように、基板上に形成される下層に実施されてもよく、用語「基板表面」は、文脈に示すように、このような下層を含むことを意図している。したがって、例えば、膜／層又は部分的な膜／層が基板表面上に堆積されている場合、新たに堆積された膜／層の露出表面が基板表面になる。
【００１２】
本明細書及び特許請求の範囲で使用される用語「前駆体」、「反応体」、「反応性ガス」などは、基板表面と、又は基板表面上に形成された膜と反応することのできる任意のガス種を指すために互換可能に使用される。
【００１３】
本開示のいくつかの実施態様は、下に位置する基板材料に基づく自己整合フィーチャの製造を可能にする統合型ツールセットを提供する。いくつかの実施態様は、異なるフィーチャ又は表面上の異なる膜（例えば、金属上の金属ケイ素化合物及び誘電体上のＳｉＮ）の成長を可能にする。いくつかの実施態様では、統合型ツールは、表面を堆積させ、アニールし、処理し、任意で除去するプロセスを行うための回転プラットフォームを有する又は有さない複数のステーションを備える。このシーケンスを繰り返し、横方向の成長（侵食）を生じさせることなく、フィーチャ内での極めて制御された成長を可能にすることができる。本開示の実施態様は、平面基板、フィーチャ（例えば、ビア、トレンチ、フィン）を有する基板、及びハードマスク／パターニング用途に使用することができる。平面用途は、金属表面上に金属ケイ素化合物膜を形成し、隣接する誘電体表面上に窒化膜を形成することができる。表面フィーチャを使用する用途には、限定されないが、金属上に金属ケイ素化合物が形成され、酸化物上に窒化物が形成される金属／酸化物表面上に、ビアを形成することが含まれる。金属がスペーサ材料上にある例示的なハードマスク／パターニング用途では、金属ケイ素化合物を底面及び上面に形成することができる。
【００１４】
図１Ａは、自己整合フィーチャを形成するための統合型処理ツール１０を示す。処理ツール１０は、複数のプロセスステーション１１、１２、１３、１４を有し、各ステーションは、隣接するプロセスステーションから分離された処理領域１１ａ、１２ａ、１３ａ、１４ａを提供する。図示された例示的な実施態様は、四つのステーションを有するが、当業者であれば、四つより多い又は少ないステーションが存在し得ることを認識するであろう。個々のステーションは、ガスカーテン又は物理的バリアによって隣接するステーションから分離することができる。
【００１５】
基板支持体１５（破線として示されている）は、処理のために基板又はウエハを支持する支持面を有する。基板支持体は、複数のプロセスステーションのうちの少なくとも二つの間でウエハを移動させるように構成される。いくつかの実施態様では、基板支持体は、プロセスステーションのすべての間でウエハを移動させるように構成される。このように使用されるとき、用語「間」は、個々のプロセスステーションの処理領域を含む。
【００１６】
コントローラ１６は、基板支持体１５及び複数のプロセスステーション１１、１２、１３、１４に接続することができる。コントローラは、基板支持体１５を作動させてウエハをステーション間で移動させ、プロセスステーションの各々で発生するプロセスを制御するように構成することができる。いくつかの実施態様では、複数のプロセスステーション１１、１２、１３、１４は、それぞれ、堆積ステーション、アニーリングステーション、処理ステーション、及び任意のエッチングステーションを含む。
【００１７】
図１Ｂ〜１Ｈは、二つの異なる表面化学を有する平面基板を用いた例示的なプロセスを示す。図１Ｊは、図１Ｂから１Ｈに示すプロセス５００のフロー図である。５１０において、基板は、処理のための環境内に提供又は位置決めされる。例えば、基板は、プロセスステーション１１内に位置決めすることができ、したがって処理のために提供される。図１Ｂに示すように、基板２１は、第１の表面２２ａを有する第１の材料２２と、第１の材料２２及び第１の表面２２ａとは異なる第２の表面２３ａを有する第２の材料２３とを有する。プロセスステーション１１は、膜を形成することのできる任意の適切な堆積チャンバを含むことができる。いくつかの実施態様では、堆積ステーションは、原子層堆積（ＡＬＤ）チャンバ、プラズマ強化原子層堆積（ＰＥＡＬＤ）、化学気相堆積（ＣＶＤ）チャンバ、又はプラズマ強化化学気相堆積（ＰＥＣＶＤ）チャンバのうちの一つ又は複数を備える。いくつかの実施態様では、第１の材料２２は、金属（例えば、コバルト、銅、チタン）を含む。いくつかの実施態様では、第２の材料２３は、誘電体（例えば、酸化物）を含む。
【００１８】
いくつかの実施態様では、プロセスステーションは、堆積プロセスの一部分への曝露を含むことができる。いくつかの実施態様では、プロセスステーション１１は、基板を第１の反応物に曝露することができ、プロセスステーション１２は、基板を第２の反応物に曝露して、第１の反応物と反応させ、膜を堆積させることができる。この点に関して、二つ以上のステーションが、単一の堆積プロセスのために使用されてよい。
【００１９】
５２０では、プロセスステーション１１の堆積チャンバ内で、図１Ｃに示すように、基板２１上に膜２４が形成される。膜２４は、第１の材料２２と第２の材料２３の両方の上に実質的に等しい厚さが存在するように共形性に形成することができるか、又は第２の材料２３に対して第１の材料２２に選択的にすることができる。選択性の程度は、第１の材料２２：第２の材料２３について約１：１から約５０：１の範囲とすることができる。
【００２０】
膜２４は、任意の適切な厚さに形成することができる。いくつかの実施態様では、膜２４は、堆積される材料の概ね一つの単層以下の厚さを有する。いくつかの実施態様において、膜２４の厚さは、０．１Åを上回り、最大約１０Å、１５Å、２０Å、２５Å、３０Å、３５Å又は４０Åである。いくつかの実施態様では、膜は、シリコン、チタン、銅、コバルト、タングステン、又はアルミニウムのうちの一つ又は複数を含む。
【００２１】
膜２４の形成後、基板２１はプロセスステーション１１からプロセスステーション１２に移動される。図１Ｄ及び５３０に示されるように、膜２４は、アニールされた膜２５を形成するために、プロセスステーション１２においてアニールプロセスに曝露することができる。いくつかの実施態様では、アニールステーションは、レーザアニール、熱アニール、又はフラッシュアニールチャンバのうちの一つ又は複数を含む。
【００２２】
アニールされた膜２５を形成した後、基板２１は、プロセスステーション１２からプロセスステーション１３に移動される。図１Ｅ及び５４０に示されるように、アニールされた膜２５は処理されて、処理された膜２６が形成される。処理は、例えば、膜組成物に依存する任意の適切な処理とすることができる。いくつかの実施態様では、処理はプラズマ処理チャンバを含む。プラズマは、アニールされた膜２５の少なくとも一つの特性を変化させる。いくつかの実施態様では、処理は、処理された膜２６ａと処理された膜２６ｂとの間に差があるように、第１の表面２２ａ上のアニールされた膜２５の特性を第２の表面２３ａ上のものとは異なるように変化させる。
【００２３】
いくつかの実施態様では、図１Ｆに示されるように、処理は、アニールされた膜を第２の表面２３ａから除去する。これらの実施態様では、基板２１は、エッチングプロセス（後述）なしで処理されてもよい。この種の実施態様では、基板をプロセスステーション１１に戻すことによってプロセスを繰り返すことができる。
【００２４】
いくつかの実施態様では、処理ツール１０は、プロセスステーション１４としてのエッチングステーションを含む。膜の特性が第１の表面２２ａ上と第２の表面２３ａ上とで異なる図１Ｅの実施態様のような実施態様では、基板２１は、プロセスステーション１３からプロセスステーション１４に移動させることができる。図１Ｇ及び５５０に示されるように、いくつかの実施態様では、基板２１は、第１の表面２２ａから処理された膜２６ａを除去することに対して第２の表面２３ａから処理された膜２６ｂを選択的に除去することができるエッチングプロセスに曝露される。図１Ｇに示されるように、処理された膜２６ａの厚さは、エッチングプロセスの一部として減少してよく、処理された膜２６ｂは、実質的に完全に除去される（＞９５重量％）。
【００２５】
エッチングステーションは、第１の表面２２ａから膜２６ａを除去することに対して第２の表面２３ａから膜２６ｂを選択的に除去することができる任意の適切なエッチングチャンバとすることができる。いくつかの実施態様では、エッチングステーションは、化学エッチング、反応性イオンエッチング、又は等方性エッチングチャンバのうちの一つ又は複数を含む。
【００２６】
５６０において、所定の厚さの膜２６ａが形成されたかどうかが決定される。そうでない場合、プロセス５００は５２０に戻り、基板上に膜２４を堆積させる。図１Ｈに示されるように、所定の厚さが形成された場合、プロセス５００は、任意のさらなる処理のために５７０に続く。
【００２７】
いくつかの実施態様では、膜２６ａの厚さは、インライン又は外部プロセスを通して測定される。いくつかの実施態様では、膜２６ａの厚さは、その場で測定される。いくつかの実施態様では、膜２６ａの厚さは、垂直厚さ、限界寸法（ＣＤ）、スペーサ幅、及び／又はスペーサ高さのうちの一つ又は複数を測定することによって決定される。いくつかの実施態様では、膜２６ａの所定の厚さは、多数の繰り返しサイクルを通して形成される。
【００２８】
いくつかの実施態様では、図１Ｈに示すように、所定の厚さの膜２６ａを形成するために、堆積、アニール、処理、及び任意のエッチングプロセスを繰り返すことができる。いくつかの実施態様の所定の厚さは、約１００Å、２００Å、３００Å、４００Å、５００Å、６００Å、７００Å、８００Å、９００Å又は１０００Å以上である。
【００２９】
いくつかの実施態様では、コントローラ１６は、中央処理ユニット、メモリ、及びサポート回路を含む。コントローラ１６は、直接、又は特定のプロセスチャンバ及び／又はサポートシステム構成要素に関連付けられたコンピュータ（又はコントローラ）を介して、プロセスステーション又は処理チャンバを制御することができる。コントローラ１６は、様々なチャンバ及びサブプロセッサを制御するために工業環境で使用することのできる、任意の形態の汎用コンピュータプロセッサのうちの一つとすることができる。コントローラのメモリ又はコンピュータ可読媒体は、ランダムアクセスメモリ（ＲＡＭ）、読出し専用メモリ（ＲＯＭ）、フロッピーディスク、ハードディスク、光記憶媒体（例えば、コンパクトディスク又はデジタルビデオディスク）、フラッシュドライブ、又は任意の他の形態のデジタルストレージ、ローカル又はリモートなどの、容易に利用可能なメモリの一つ又は複数であってよい。サポート回路は、従来の方式でプロセッサを支持するためにＣＰＵに結合される。これらの回路は、キャッシュ、電源、クロック回路、入出力回路、およびサブシステムなどを含む。一つ又は複数のプロセスは、ここに記載される方式で装置又は個々の構成要素の動作を制御するために実行又は呼び出すことのできるソフトウェアルーチンとしてメモリに記憶させることができる。コントローラ１６は、流量、ガスバルブ、ガス源、又は様々な構成を実行するための他のプロセスを制御する任意のコマンド又は機能を含むことのできる、一つ又は複数の構成を含むことができる。コントローラの様々な構成は、コントローラが構成を実行することを可能にするために、プロセスステーションの制御と、一つ又は複数のモータ、アクチュエータ、バルブ、流量コントローラ及び／又はヒータを通る基板支持体の移動とを可能にすることができる。
【００３０】
いくつかの実施態様では、コントローラ１６は、プロセスステーション１１、１２、１３、１４及び基板支持体１５を含む処理ツール１０を動作させる一つ又は複数の構成を有する。いくつかの実施態様では、コントローラは、ウエハを堆積チャンバからアニールチャンバへ、処理チャンバへと順次移動させるための第１の構成、堆積チャンバ内で基板上に層を堆積させるための第２の構成、アニールチャンバ内で基板上の層をアニールするための第３の構成、処理チャンバ内でアニールされた層をプラズマ処理するための第４の構成のうちの一つ又は複数を含む。いくつかの実施態様では、プロセスステーションはエッチングステーションを含み、第１の構成は、ウエハを堆積チャンバからアニールチャンバへ、処理チャンバへ、エッチングチャンバへと順次移動させ、コントローラは、エッチングチャンバ内でウエハにエッチングプロセスを実施するための第５の構成を有する。
【００３１】
いくつかの実施態様では、コントローラは、堆積チャンバ内で膜を一定の厚さ（例えば、約１５Å以下）に堆積させ、基板をアニールチャンバに移動させて膜をアニールし、基板を処理チャンバに移動させて膜をプラズマに曝露し、基板をエッチングチャンバに移動させて基板のいくつかの部分から膜を選択的にエッチングするように構成される。
【００３２】
いくつかの実施態様では、コントローラは、堆積、アニール、処理、及びエッチングプロセスを繰り返して、所定の厚さの膜を構築するように構成される。
【００３３】
本開示の一つ又は複数の実施態様は、二つ以上の処理環境間の空間的分離を使用する。いくつかの実施態様は、有利には、非相溶性ガスの分離を維持するための装置及び方法を提供する。いくつかの実施態様は、有利には、最適化可能なプラズマ処理を含む装置及び方法を提供する。いくつかの実施態様は、有利には、区別された熱投入環境、区別されたプラズマ処理環境、及び他の環境を可能にする装置及び方法を提供する。
【００３４】
本開示の一つ又は複数の実施態様は、四つの処理環境を有する処理チャンバを対象とする。いくつかの実施態様は四つより多い処理環境を有し、いくつかの実施態様は四つより少ない処理環境を有する。処理環境は、水平面内を移動しているウエハに対して同一平面上に取り付けることができる。プロセス環境は、円形構成に配置される。一つから四つの（又はそれより多くの）個々のウエハヒータが搭載された回転可能な構造は、プロセス環境に類似した直径を有する円形経路内でウエハを移動させる。各ヒータは、温度制御することができ、一つ又は複数の同心円状のゾーンを有することができる。ウエハ装填のために、真空ロボットが、完成したウエハを拾得し、未処理のウエハを各ウエハヒータの上方（下部Ｚ位置）に位置するピン上に置くことができるように、回転可能な構造を下げることができる。動作中、各ウエハは、プロセスが終了するまで独立した環境下にあることができ、次いで、回転可能な構造は、回転して、処理のために、ヒータ上のウエハを次の環境に移動（四つのステーションの場合は９０°回転、三つのステーションの場合は１２０°回転）させることができる。
【００３５】
本開示のいくつかの実施態様は、有利には、非相溶性のガスを用いたＡＬＤのための空間的分離を提供する。いくつかの実施態様は、従来の時間領域又は空間的プロセスチャンバよりも高いスループット及びツールリソースの利用を可能にする。各プロセス環境は、異なる圧力で動作することができる。ヒータの回転はＺ方向の動きを有するため、各ヒータをチャンバ内にシールすることができる。
【００３６】
いくつかの実施態様は、有利には、マイクロ波、ＩＣＰ、平行プレートＣＣＰ、又は３電極ＣＣＰのうちの一つ又は複数を含むことができるプラズマ環境を提供する。ウエハ全体をプラズマに浸漬し、ウエハ全体で不均一なプラズマからプラズマ損傷を除去することができる。
【００３７】
いくつかの実施態様では、シャワーヘッドとウエハとの間の小さな間隙を使用して、ドーズガスの利用を増大させ、サイクル時間速度を上昇させることができる。正確なシャワーヘッド温度制御と高い動作範囲（最大２３０℃）。理論に束縛されることなく、シャワーヘッド温度がウエハ温度に近いほど、ウエハ温度均一性が向上すると考えられる。
【００３８】
シャワーヘッドは、速度を上げるために、小さなガス孔（＜２００μｍ）、多数のガス孔（数千から１０００万以上）、及び小さな分配容積を使用してシャワーヘッド内部に再帰的に供給されるガス分配を含むことができる。小型で多数のガス孔は、レーザドリル又はドライエッチングによって作ることができる。ウエハがシャワーヘッドに近い場合、垂直な孔を通ってウエハに向かうガスから受ける乱流がある。いくつかの実施態様は、互いに近い間隔で配置された多数の孔を使用して、シャワーヘッドを通るより低速のガスを可能にし、ウエハ表面への均一な分配を達成する。
【００３９】
いくつかの実施態様は、単一のツール上で複数のチャンバを使用する統合された処理プラットフォームを対象とする。処理プラットフォームは、異なるプロセスを実施することのできる様々なチャンバを有することができる。
【００４０】
本開示のいくつかの実施態様は、ウエハヒータに取り付けられたウエハを一つの環境から別の環境に移動させる装置及び方法を対象とする。ウエハをヒータに静電的にチャッキング（又はクランプ）することによって、高速移動を可能にすることができる。ウエハの移動は、直線運動でも円運動でもよい。
【００４１】
本開示のいくつかの実施態様は、一つ又は複数の基板を処理する方法を対象とする。実施例には、限定されないが、一つのヒータ上の一つのウエハを、空間的に分離された複数の異なる連続環境に走らせること；二つのウエハヒータ上の二つのウエハを、三つの環境（二つの同じ環境と二つの類似する環境の間の一つの異なる環境）に走らせることであって、一方のウエハが環境Ａを、次いでＢを見ることを繰り返し、他方のウエハがＢを、次いでＡを見ることを繰り返し、残りの一つの環境がアイドル状態（ウエハなし）である、二つのウエハを走らせること；二つのウエハを、両方のウエハが同時に同じ環境を見る（即ち、Ａの両方のウエハが次いで共にＢに進む）、二つの第１の環境及び二つの第２の環境に走らせることであって、二つのＡ環境と二つのＢ環境に四つのウエハを用いること；及び他の二つのウエハがＢの環境で処理されている間にＡの環境において二つのウエハを処理することが含まれる。いくつかの実施態様では、ウエハは、環境Ａ及び環境Ｂに繰り返し曝露され、次いで同じチャンバ内に位置する第３の環境に曝露される。
【００４２】
いくつかの実施態様では、ウエハは、処理のために複数のチャンバを通過し、そこでチャンバのうちの少なくとも一つが、同じチャンバ内部の複数の空間的に分離された環境を用いて順次処理を行う。
【００４３】
いくつかの実施態様は、環境が著しく異なる圧力（例えば、一方が＜１００ｍＴ、他方が＞３Ｔ）にある、同じチャンバ内部の空間的に分離された処理環境を有する装置を対象とする。いくつかの実施態様では、ヒータ回転ロボットは、各ウエハ／ヒータを空間的に分離された環境にシールするためにｚ軸方向に移動する。
【００４４】
いくつかの実施態様は、チャンバリッドの中心に上方に向かう力を加えて上側の大気の圧力及び反対側の真空によって生じるたわみを排除する垂直構造部材を備える、チャンバの上方に構築された構造を含む。上記構造物の力の大きさは、トッププレートのたわみに基づいて機械的に調整することができる。力の調整は、フィードバック回路及び力変換器を使用して自動的に、又は、例えばオペレータが回すことのできるねじを使用して手動で、行うことができる。
【００４５】
図２から６は、本開示の一つ又は複数の実施態様による支持アセンブリ１００を示している。支持アセンブリ１００は、回転可能な中心基部１１０を含む。回転可能な中心基部１１０は、対称又は非対称の形状を有することができ、回転軸線１１１を規定する。回転軸１１１は、図５に示す第１の方向に延びる。第１の方向は、垂直方向と呼んでもよいが、このような「垂直」という用語の使用は、重力に垂直な方向に限定されないことを理解されたい。
【００４６】
支持アセンブリ１００は、中心基部１１０に接続されてそこから延びる少なくとも二つの支持アーム１２０を含む。支持アーム１２０は、内側端部１２１及び外側端部１２２を有する。内側端部１２１は、中心基部１１０が回転軸線１１１の周りで回転すると、支持アーム１２０も同様に回転するように中心基部１１０に接触している。支持アーム１２０は、ファスナー（例えば、ボルト）によって、又は中心基部１１０と一体形成されることによって、内側端部１２１で中心基部１１０に接続することができる。
【００４７】
いくつかの実施態様では、支持アーム１２０は、内側端部１２１又は外側端部１２２の一方が、同じ支持アーム１２０上の内側端部１２１及び外側端部１２２の他方よりも回転軸１１１から遠くなるように、回転軸１１１で直交して延びる。いくつかの実施態様では、支持アーム１２０の内側端部１２１は、同じ支持アーム１２０の外側端部１２２よりも回転軸１１１に近い。
【００４８】
支持アセンブリ１００内の支持アーム１２０の数は変更することができる。いくつかの実施態様では、少なくとも二つの支持アーム１２０がある。いくつかの実施態様では、三つの支持アーム１２０がある。いくつかの実施態様では、四つの支持アーム１２０がある。いくつかの実施態様では、五つの支持アーム１２０がある。いくつかの実施態様では、六つの支持アーム１２０がある。
【００４９】
支持アーム１２０は、中心基部１１０の周りに対称に配置することができる。例えば、四つの支持アーム１２０を有する支持アセンブリ１００において、支持アーム１２０の各々は、中心基部１１０の周りに９０°の間隔で位置決めされる。三つの支持アーム１２０を有する支持アセンブリ１００では、支持アーム１２０は、中心基部１１０の周りに１２０°の間隔で配置される。
【００５０】
ヒータ１３０は、支持アーム１２０の外側端部１２２に位置決めされる。いくつかの実施態様では、各支持アーム１２０はヒータ１３０を有する。ヒータ１３０の中心は、中心基部１１０の回転時にヒータ１３０が円形経路内を移動するように、回転軸１１１から一定の距離に位置する。
【００５１】
ヒータ１３０は、ウエハを支持することのできる支持面１３１を有する。いくつかの実施態様では、ヒータ１３０支持面１３１は、実質的に同一平面上にある。このように使用される場合、「実質的に同一平面上」という用語は、個々の支持面１３１によって形成される平面が、他の支持面１３１によって形成される平面の±５°、±４°、±３°、±２°又は±１°以内であることを意味する。
【００５２】
いくつかの実施態様では、ヒータ１３０は、支持アーム１２０の外側端部１２２上に直接位置決めされる。いくつかの実施態様では、図面に例示されるように、ヒータ１３０は、ヒータスタンドオフ１３４によって支持アーム１２０の外側端部１２２の上方に上昇させられる。ヒータスタンドオフ１３４は、ヒータ１３０の高さを増加させるために、任意のサイズ及び長さとすることができる。
【００５３】
いくつかの実施態様では、中心基部１１０、支持アーム１２０及び／又はヒータスタンドオフ１３４のうちの一つ又は複数にチャネル１３６が形成される。チャネル１３６は、電気的接続をルーティングするため、又はガス流を提供するために使用することができる。
【００５４】
ヒータは、当業者に既知の任意の適切なタイプのヒータとすることができる。いくつかの実施態様では、ヒータは、ヒータ本体内部に一つ又は複数の加熱要素を備えた抵抗加熱器である。
【００５５】
いくつかの実施態様のヒータ１３０は、追加の構成要素を含む。例えば、ヒータは、静電チャックを含むことができる。静電チャックは、ヒータが移動する間にヒータ支持面１３１上に位置決めされたウエハを所定の位置に保持することができるように、種々のワイヤ及び電極を含むことができる。これにより、ウエハが、プロセスの開始時にヒータ上にチャックされ、異なるプロセス領域に移動しながら、同じヒータ上のその同じ位置に留まることが可能になる。
【００５６】
ヒータ１３０及び支持面１３１は、背面ガスの流れを提供する一つ又は複数のガス出口を含むことができる。これは、支持面１３１からのウエハの除去を助けることができる。図２及び３に示されるように、支持面１３１は、複数の開口１３７及びガスチャネル１３８を含む。開口１３７及び／又はガスチャネル１３８は、真空源又はガス源（例えば、パージガス）のうちの一つ又は複数と流体連通することができる。
【００５７】
支持アセンブリ１００のいくつかの実施態様は、シーリングプラットフォーム１４０を含む。シーリングプラットフォームは、上面１４１、底面、及び厚さを有する。シーリングプラットフォーム１４０は、シール又はバリアを提供して支持アセンブリ１００の下の領域へと流れるガスを最小限に抑えることを助けるために、ヒータ１３０の周囲に位置決めすることができる。いくつかの実施態様では、図３に示されるように、シーリングプラットフォーム１４０は、リング状であり、各ヒータ１３０の周囲に位置決めされる。図示の実施態様では、シーリングプラットフォーム１４０は、シーリングプラットフォーム１４０の上面１４１がヒータの支持面１３１の下になるように、ヒータ１３０の下に位置している。いくつかの実施態様では、図４及び５に示されるように、シーリングプラットフォーム１４０は、ヒータ１３０の支持面１３１へのアクセスを可能にするためにヒータ１３０のすべてを複数の開口１４２で取り囲む単一の構成要素である。開口１４２は、ヒータがシーリングプラットフォーム１４０を通過することを可能にすることができる。いくつかの実施態様では、シーリングプラットフォーム１４０は、シーリングプラットフォーム１４０が垂直方向に移動し、ヒータ１３０とともに回転するように、固定される。いくつかの実施態様では、シーリングプラットフォーム１４０は、図５に示されるように、ヒータ１３０の支持面１３１によって形成される主平面と実質的に平行な主平面を形成する上面１４１を有する。いくつかの実施態様では、シーリングプラットフォーム１４０は、図４に示されるように、ウエハ表面がシーリングプラットフォーム１４０の上面１４１と同一平面上にあるように、処理されるウエハの厚さに実質的に等しい量だけ支持面１３１の主平面上方の距離である主平面を形成する上面１４１を有する。
【００５８】
いくつかの実施態様では、図４及び図５に示されるように、シーリングプラットフォーム１４０は、支持ポスト１２７によって支持される。支持ポスト１２７は、単一の構成要素のプラットフォームが使用されるとき、シーリングプラットフォーム１４０の中心のダレを防止する有用性を有することができる。
【００５９】
いくつかの実施態様では、図７に示されるように、支持アセンブリ１００は、少なくとも一つのモータ１５０を含む。少なくとも一つのモータ１５０は、中心基部１１０に接続されており、回転軸１１１の周りで支持アセンブリ１００を回転させるように構成されている。いくつかの実施態様では、少なくとも一つのモータは、中心基部１１０を回転軸線１１１に沿う方向に移動させるように構成される。例えば、図７では、モータ１５５はモータ１５０に接続されており、支持アセンブリ１００をＺ軸又は垂直方向に移動させることができる。
【００６０】
図６及び７に示すように、本開示の一つ又は複数の実施態様は、支持アセンブリ１００を組み込んだ処理チャンバ２００を対象としている。処理チャンバ２００は、壁２０４と、底部２０６と、内部容積２０９を画定する上部２０８とを有するハウジング２０２を有する。図６に示す実施態様は、上部２０８を示していない。
【００６１】
処理チャンバ２００は、複数のプロセスステーション２１０を含む。プロセスステーション２１０は、ハウジング２０２の内部容積２０９内に位置し、回転軸１１１の周りで円形構成に配置される。各プロセスステーション２１０は、前面２１４を有するガスインジェクタ２１２を含む。いくつかの実施態様では、ガスインジェクタ２１２の各々の前面２１４は、実質的に同一平面上にある。
【００６２】
プロセスステーション２１０は、任意の適切なプロセスを実行し、任意の適切なプロセス条件を提供するように構成することができる。使用されるガスインジェクタ２１２のタイプは、例えば、実施されるプロセスのタイプ及びプロセスチャンバのタイプに依存するであろう。例えば、原子層堆積装置として動作するように構成されたプロセスステーション２１０は、シャワーヘッド又は渦型インジェクタを有する。一方、プラズマステーションとして動作するように構成されたプロセスステーション２１０は、プラズマを生成するとともに、プラズマガスがウエハに向かって流れることを可能にする、一つ又は複数の電極及び接地されたプレート構成を有し得る。図７に例示される実施態様は、図面の左側に、図面の右側とは異なるタイプのプロセスステーション２１０を有する。適切なプロセスステーション２１０には、限定されないが、熱プロセスステーション、マイクロ波プラズマ、３電極ＣＣＰ、ＩＣＰ、平行プレートＣＣＰ、ＵＶ露光、レーザ加工、ポンピングチャンバ、アニーリングステーション及び計測ステーションが含まれる。
【００６３】
図７に示されるように、一つ又は複数の真空流及びパージガス流を使用して、一つのプロセスステーション２１０を隣接するプロセスステーション２１０から分離することを助けることができる。パージガスプレナム２６０は、プロセスステーション２１０の外側境界でパージガスポート２６１と流体連通している。真空プレナム２６５は、真空ポート２６６と流体連通している。パージガスポート２６１及び真空ポート２６６は、プロセスステーション２１０の周囲に延びて、ガスカーテンを形成することができる。ガスカーテンは、プロセスガスの内部容積２０９への漏出を最小化又は排除することを助けることができる。
【００６４】
プロセスステーション２１０の数は、ヒータ１３０及び支持アーム１２０の数により変化させることができる。いくつかの実施態様では、等しい数のヒータ１３０、支持アーム１２０及びプロセスステーション２１０が存在する。いくつかの実施態様では、ヒータ１３０、支持アーム１２０、及びプロセスステーション２１０は、ヒータ１３０の支持面１３１の各々が、同時に異なるプロセスステーション２１０の前面２１４に隣接して位置することができるように構成される。別の言い方をすれば、各ヒータは、同時にプロセスステーションの前に位置決めされる。
【００６５】
図８は、本開示の一つ又は複数の実施態様による処理プラットフォーム３００を示す。図８に示される実施態様は、一つの可能な構成を表しているにすぎず、本開示の範囲を限定するものとして解釈されるべきでない。例えば、いくつかの実施態様では、処理プラットフォーム３００は、異なる数の処理チャンバ２００、バッファステーション３２０、及びロボット３３０構成を有する。
【００６６】
例示的な処理プラットフォーム３００は、複数の側面３１１、３１２、３１３、３１４を有する中央移送ステーション３１０を含む。図示される移送ステーション３１０は、第１の側面３１１、第２の側面３１２、第３の側面３１３、及び第４の側面３１４を有する。四つの側面が示されているが、当業者であれば、例えば処理プラットフォーム３００の全体的な構成に応じて、移送ステーション３１０に対して任意の適切な数の側面が存在し得ることを理解するであろう。
【００６７】
移送ステーション３１０は、その中に位置決めされたロボット３３０を有する。ロボット３３０は、加工中にウエハを移動させることのできる任意の適切なロボットであり得る。いくつかの実施態様では、ロボット３３０は、第１のアーム３３１及び第２のアーム３３２を有する。第１のアーム３３１及び第２のアーム３３２は、他方のアームから独立して動かすことができる。第１のアーム３３１及び第２のアーム３３２は、ｘ−ｙ平面及び／又はｚ軸に沿って動かすことができる。いくつかの実施態様では、ロボット３３０は、第３のアーム又は第４のアーム（図示しない）を含む。アームの各々は、他のアームから独立して動かすことができる。
【００６８】
図示の実施態様は、中央移送ステーション３１０の第２の側面３１２、第３の側面３１３、及び第４の側面３１４にそれぞれ二つずつ接続された６つの処理チャンバ２００を含む。処理チャンバ２００の各々は、異なるプロセスを実行するように構成することができる。
【００６９】
処理プラットフォーム３００は、中央移送ステーション３１０の第１の側面３１１に接続された一つ又は複数のバッファステーション３２０も含むことができる。バッファステーション３２０は、同じ又は異なる機能を実行することができる。例えば、バッファステーションは、処理されて元のカセットに戻されるウエハのカセットを保持することができるか、又はバッファステーションの一つは、処理後に他のバッファステーションに移動される未処理のウエハを保持することができる。いくつかの実施態様では、バッファステーションのうちの一つ又は複数は、処理の前及び／又は後にウエハを前処理、予備加熱又は洗浄するように構成される。
【００７０】
処理プラットフォーム３００はまた、中央移送ステーション３１０と処理チャンバ２００のいずれかとの間に一つ又は複数のスリットバルブ３１８を含んでもよい。スリットバルブ３１８は、中央移送ステーション３１０内部の環境から処理チャンバ２００内部の環境を分離するために開閉することができる。例えば、処理チャンバが処理中にプラズマを生成する場合、浮遊プラズマが移送ステーション内のロボットに損傷を与えることを防止するために、その処理チャンバのスリットバルブを閉じることが役立つ。
【００７１】
処理プラットフォーム３００は、ウエハ又はウエハのカセットが処理プラットフォーム３００に装填されることを可能にするために、ファクトリインターフェース３５０に接続することができる。ファクトリインターフェース３５０内部のロボット３５５を使用して、ウエハ又はカセットをバッファステーションに出し入れすることができる。ウエハ又はカセットは、中央移送ステーション３１０内のロボット３３０によって処理プラットフォーム３００内部で移動させることができる。いくつかの実施態様では、ファクトリインターフェース３５０は、別のクラスタツール（即ち、別のマルチチャンバ処理プラットフォーム）の移送ステーションである。
【００７２】
コントローラ３９５は、処理プラットフォーム３００の様々な構成要素に提供及び結合されて、その動作を制御することができる。コントローラ３９５は、処理プラットフォーム３００全体を制御する単一のコントローラ、又は処理プラットフォーム３００の個々の部分を制御する複数のコントローラとすることができる。例えば、処理プラットフォーム３００は、個々の処理チャンバ２００、中央移送ステーション３１０、ファクトリインターフェース３５０、及びロボット３３０の各々のための別個のコントローラを含むことができる。いくつかの実施態様では、コントローラ３９５は、中央処理装置（ＣＰＵ）３９６、メモリ３９７、及びサポート回路３９８を含む。コントローラ３９５は、処理プラットフォーム３００を直接、又は特定のプロセスチャンバ及び／又はサポートシステム構成要素に関連付けられるコンピュータ（又はコントローラ）を介して、制御することができる。コントローラ３９５は、様々なチャンバ及びサブプロセッサを制御するための工業環境で使用することのできる任意の形態の汎用コンピュータプロセッサのうちの一つとすることができる。コントローラ３９５のメモリ３９７又はコンピュータ可読媒体は、ランダムアクセスメモリ（ＲＡＭ）、読出し専用メモリ（ＲＯＭ）、フロッピーディスク、ハードディスク、光記憶媒体（例えば、コンパクトディスク又はデジタルビデオディスク）、フラッシュドライブ、又は任意の他の形態のデジタルストレージ、ローカル又はリモートなどの、容易に利用可能なメモリの一つ又は複数であってよい。サポート回路３９８は、従来の方式でプロセッサをサポートするためにＣＰＵ３９６に接続される。これらの回路は、キャッシュ、電力供給装置、クロック回路、入出力回路、及びサブシステムなどを含む。一つ又は複数のプロセスは、ここに記載される方式で処理プラットフォーム３００又は個々の処理チャンバの動作を制御するために実行又は呼び出すことのできるソフトウェアルーチンとしてメモリ３９８に記憶させることができる。ソフトウェアルーチンはまた、ＣＰＵ  ３９６によって制御されるハードウェアから遠隔して位置する第２のＣＰＵ（図示しない）によって記憶及び／又は実行されてもよい。
【００７３】
図９ＡからＩは、異なるプロセスステーション２１０を有する処理チャンバ２００の様々な構成を示す。文字付きの円は、異なるプロセスステーション２１０及びプロセス条件を表す。例えば、図９Ａでは、各々が異なる文字を有する四つのプロセスステーション２１０がある。これは、各々が他のステーションとは異なる条件を有する四つのプロセスステーション２１０を表す。矢印で示すように、プロセスは、ウエハを有するヒータをステーションＡからＤへ移動させることによって発生し得る。Ｄに曝露した後、サイクルを継続するか、又は逆にすることができる。
【００７４】
図９Ｂでは、ウエハをヒータ上でＡ位置とＢ位置との間で往復させて、四つのウエハを同時に処理することができる。二つのウエハはＡ位置で、二つのウエハはＢ位置で、開始するであろう。独立したプロセスステーション２１０は、各ウエハがＡへの曝露から開始されるように、最初のサイクルの間、ステーションのうちの二つをオフにすることを可能にする。
【００７５】
図９Ｂに例示される実施態様は、四つのプロセスステーション２１０での二つのウエハの処理においても有用である。これは、プロセスの一つが極めて異なる圧力下にあるか、又はＡとＢのプロセス時間が非常に異なる場合に、特に有用であり得る。
【００７６】
図９Ｃでは、三つのウエハを、単一の処理チャンバ２００内においてＡＢＣプロセスで処理することができる。一つのステーションは、オフにすることができるか、又は異なる機能（例えば、予熱）を実施することができる。
【００７７】
図９Ｄでは、二つのウエハをＡＢ処理プロセスで処理することができる。例えば、ウエハは、Ｂのヒータ上にのみ配置することができる。時計回りに１／４回転させると、一のウエハがＡステーションに、二つ目のウエハがＴステーションに配置される。戻る方向に回転させると、両方のウエハがＢステーションに移動し、さらに４分の１回転反時計回りに回転させると、２番目のウエハがＡステーションに、１番目のウエハがＢステーションに配置される。
【００７８】
図９Ｅでは、最大四つのウエハを同時に処理することができる。例えば、ＡステーションがＣＶＤ又はＡＬＤプロセスを実施するように構成されている場合、四つのウエハを同時に処理することができる。
【００７９】
図９のＦからＩは、三つのプロセスステーション２１０を有する処理チャンバ２００の同様のタイプの構成を示す。簡単に言えば、図９Ｆでは、単一ウエハ（又は二つ以上のウエハ）をＡＢＣプロセスに供することができる。図９Ｇでは、一方をＡ位置に配置し、他方をＢ位置のうちの一つに配置することによって、二つのウエハをＡＢプロセスに供することができる。次いで、Ｂ位置で開始するウエハがまずＡ位置に移動し、次いで同じＢ位置に戻るように、ウエハを往復させることができる。図９Ｈでは、ウエハをＡＢ処理プロセスに供することができる。図９Ｉでは、三つのウエハを同時に処理することができる。
【００８０】
図１０のＡ及びＢは、本開示の別の実施態様を示す。図１０Ａにおいて、支持アーム１２０上のヒータ１３０は、ウエハ１０１がガスインジェクタ２１２に隣接するように、プロセスステーション２１０の下の位置まで回転されている。支持アーム１２０上又はヒータ１３０の外側部分上のＯリング１２９は、弛緩状態にある。支持アーム１２０及びヒータ１３０は、ヒータ１３０の支持面１３１が移動して、図１０Ｂに示すように、プロセスステーション２１０の前面２１４と接触するか又はほぼ接触するように、プロセスステーション２１０に向かって移動される。この位置において、Ｏリング１２９は圧縮されて、支持アーム１２０の外縁又はヒータ１３０の外側部分の周りにシールを形成する。これにより、反応領域２１９を迅速にパージすることができるように、反応領域２１９の容積を最小化するために、ウエハ１０１をインジェクタ２１２のできるだけ近くに移動させることができる。
【００８１】
反応領域２１９から流出し得るガスは、真空ポート２６６を通って真空プレナム２６５内に、そして排気又はフォアラインに排気される。真空ポート２６６の外側のパージガスカーテンは、パージガスプレナム２６０及びパージガスポート２６１によって生成することができる。加えて、パージガスを、ヒータ１３０と支持アーム１２０との間の間隙２３７を通して流して反応領域２１９をさらにカーテンで遮り、反応性ガスが処理チャンバ２００の内部容積２０９に流入することを防ぐことができる。
【００８２】
本明細書全体を通して、「一実施態様」、「特定の実施態様」、「一つ又は複数の実施態様」又は「実施態様」への言及は、実施態様に関連して説明された特定の特徴、構造、材料、又は特性が、本開示の少なくとも一つの実施態様に含まれることを意味する。したがって、本明細書全体の様々な箇所での「一つ又は複数の実施態様において」、「特定の実施態様において」、「一実施態様において」、又は「実施態様において」といった表現の出現は、必ずしも本開示の同じ実施態様を指すものではない。さらに、特定の特徴、構造、材料、又は特性は、一つ又は複数の実施態様において任意の適切な方式で組み合わせることができる。
【００８３】
ここでの開示は特定の実施態様を参照して説明されているが、これらの実施態様は、本開示の原理及び用途の例示にすぎないことを理解されたい。本開示の本質及び範囲から逸脱することなく、本開示の方法及び装置に様々な改変例及び変形例が可能であることが、当業者には自明であろう。したがって、本開示は、特許請求の範囲及びその均等物の範囲内にある修正例及び変形例を含むことが意図される。
【図１Ａ−Ｈ】
2021523982.tif 000003
【図１Ｊ】
2021523982.tif 000004
【図２】
2021523982.tif 000005
【図３】
2021523982.tif 000006
【図４】
2021523982.tif 000007
【図５】
2021523982.tif 000008
【図６】
2021523982.tif 000009
【図７】
2021523982.tif 000010
【図８】
2021523982.tif 000011
【図９】
2021523982.tif 000012
【図１０】
2021523982.tif 000013
【国際調査報告】
2021523982.tif 000014
2021523982.tif 000015
2021523982.tif 000016